(57)【要約】【課題】ＩＰ網において、既存電話網と同様なカスタマコントロールサービスを、ＰＢ契約加入者に加えてＤＰ契約加入者にも提供するための標準的な仕組みを確立する。【解決手段】ＤＰ契約加入者の電話端末４を接続するメタル線５を終端するＡＧＷ２にＤＰ信号レシーバ２３を備え、ＡＧＷ２は、ＤＰ契約加入者の電話端末４から送出されＤＰ信号レシーバ２３にて受信したＤＰ信号によって特定されるカスコン操作番号をＰＢ信号に変換したのちに、また、ＰＢ契約加入者の電話端末４から送出されるＰＢ信号はそのままの形で、いずれの場合もＶｏＩＰ用プロトコルにより音声パケット化してメディアサーバ３に送信する。メディアサーバ３は、ＰＢ信号レシーバ３２を備え、受信したＰＢ信号によって特定されるカスコン操作番号を、カスタマコントロールサービスを提供する加入者サーバ１に通知する。【選択図】図１
2012249033.tif 000002
【特許請求の範囲】
【請求項１】
ＩＰ網に接続される加入者サーバ、および、音声パケット化されたＰＢ信号を受信してカスコン操作番号を特定するＰＢ信号レシーバを備えるメディアサーバと連携して、メタル線によって接続されるＰＢ契約加入者およびＤＰ契約加入者の電話端末にＩＰ電話サービスを提供するゲートウェイ装置であって、
前記ＤＰ契約加入者の電話端末から送出されるＤＰ信号からカスコン操作番号を特定するＤＰ信号レシーバを備え、
前記加入者サーバが、加入者のカスコン操作によって電話に関する各種サービスの設定内容を変更可能なカスタマコントロールサービスを提供する場合に、
前記加入者サーバの指示を受けて、前記メディアサーバから送出されるカスコン操作の受付が可能であることを伝える受付音または音声ガイダンスを前記電話端末に中継送信し、
前記ＤＰ契約加入者の電話端末から送出され前記ＤＰ信号レシーバにて受信したＤＰ信号から特定されるカスコン操作番号をＰＢ信号に変換したのちに、また、前記ＰＢ契約加入者の電話端末から送出されるＰＢ信号はそのままの形で、いずれの場合もＶｏＩＰ用プロトコルにより音声パケット化して、前記音声パケット化されたＰＢ信号を前記メディアサーバに送信する
ことを特徴とするゲートウェイ装置。
【請求項２】
請求項１に記載のゲートウェイ装置において、
自身が収容する各加入者がＰＢ契約加入者かＤＰ契約加入者かを示す情報が登録されているＰＢ／ＤＰ契約情報データベースを備え、
自身が収容する全てのＤＰ契約加入者に対して、前記ＤＰ信号レシーバを個別に配備する
ことを特徴とするゲートウェイ装置。
【請求項３】
請求項１に記載のゲートウェイ装置において、
自身が収容する各加入者がＰＢ契約加入者かＤＰ契約加入者かを示す情報が登録されているＰＢ／ＤＰ契約情報データベースを備えるとともに、複数の前記ＤＰ信号レシーバを共有配備し、
前記加入者サーバからレシーバリソース捕捉指示を受け取ったときに、前記データベースを参照して前記カスタマコントロールサービスの対象となる当該加入者がＤＰ契約加入者であるか否かを判定し、当該加入者がＤＰ契約加入者である場合に前記複数の前記ＤＰ信号レシーバのなかの１つを当該加入者に割り当てる
ことを特徴とするゲートウェイ装置。
【請求項４】
請求項１から請求項３のいずれか一項に記載のゲートウェイ装置において、
前記ＰＢ信号の前記メディアサーバへの送信は、ＲＴＰ（Realtime Transport Protocol）を用いて行われる
ことを特徴とするゲートウェイ装置。
【請求項５】
ＩＰ網に接続される加入者サーバと、音声パケット化されたＰＢ信号を受信してカスコン操作番号を特定するＰＢ信号レシーバを備えるメディアサーバと、前記加入者サーバおよびメディアサーバと連携して、メタル線によって接続されるＰＢ契約加入者およびＤＰ契約加入者の電話端末にＩＰ電話サービスを提供するゲートウェイ装置とを備え、
前記加入者サーバが、加入者のカスコン操作によって電話に関する各種サービスの設定内容を変更可能なカスタマコントロールサービスを提供するカスタマコントロールサービスシステムであって、
前記ゲートウェイ装置は、
前記加入者サーバの指示を受けて、前記メディアサーバから送出されるカスコン操作の受付が可能であることを伝える受付音または音声ガイダンスを前記電話端末に中継送信し、
前記ＤＰ契約加入者の電話端末から送出され前記ＤＰ信号レシーバにて受信したＤＰ信号によって特定されるカスコン操作番号をＰＢ信号に変換したのちに、また、前記ＰＢ契約加入者の電話端末から送出されるＰＢ信号はそのままの形で、いずれの場合もＶｏＩＰ用プロトコルにより音声パケット化して、前記音声パケット化されたＰＢ信号を前記メディアサーバに送信し、
前記メディアサーバは、
前記音声パケット化されたＰＢ信号からカスコン操作番号を特定し、特定した前記カスコン操作番号を前記加入者サーバに通知する
ことを特徴とするカスタマコントロールサービスシステム。
【請求項６】
請求項５に記載のカスタマコントロールサービスシステムにおいて、
前記ゲートウェイ装置は、
自身が収容する各加入者がＰＢ契約加入者かＤＰ契約加入者かを示す情報が登録されているＰＢ／ＤＰ契約情報データベースを備え、
自身が収容する全てのＤＰ契約加入者に対して、前記ＤＰ信号レシーバを個別に配備する
ことを特徴とするカスタマコントロールサービスシステム。
【請求項７】
請求項５に記載のカスタマコントロールサービスシステムにおいて、
前記ゲートウェイ装置は、
自身が収容する各加入者がＰＢ契約加入者かＤＰ契約加入者かを示す情報が登録されているＰＢ／ＤＰ契約情報データベースを備えるとともに、複数の前記ＤＰ信号レシーバを共有配備し、
前記加入者サーバからレシーバリソース捕捉指示を受け取ったときに、前記データベースを参照して前記カスタマコントロールサービスの対象となる当該加入者がＤＰ契約加入者であるか否かを判定し、当該加入者がＤＰ契約加入者である場合に前記複数の前記ＤＰ信号レシーバのなかの１つを当該加入者に割り当てる
ことを特徴とするカスタマコントロールサービスシステム。
【請求項８】
請求項５から請求項７のいずれか一項に記載のカスタマコントロールサービスシステムにおいて、
前記ゲートウェイ装置から前記メディアサーバへの前記ＰＢ信号の送信は、ＲＴＰ（Realtime Transport Protocol）を用いて行われる
ことを特徴とするカスタマコントロールサービスシステム。
【発明の詳細な説明】
【技術分野】
【０００１】
本発明は、既存電話網にて提供されている、加入者のダイヤル操作によって電話に関する各種サービスの設定内容を変更可能なカスタマコントロールサービスを、ＩＰ（Internet Protocol）網にて提供するための技術に関する。
【背景技術】
【０００２】
既存電話網では、加入者のダイヤル操作によって電話に関する各種サービスの設定内容を変更可能なカスタマコントロールサービス（以降、適宜「カスコンサービス」と略記する。）が提供されている。
【０００３】
カスコンサービスでは、加入者が電話端末から各サービスに接続するための所定の電話番号をダイヤルすると、ダイヤル操作の受付が可能であることを知らせる受付音または音声ガイダンスが送出され、以後、加入者は希望するサービスの設定内容に変更するための各種情報を電話端末のダイヤル操作によって入力する。
【０００４】
例えば、営業時間外や留守中などにかかってきた電話に対して定型のメッセージを自動応答する「でんわばん」サービス（詳細はhttp://web116.jp/shop/manual/denwa_ai.pdfを参照。）では、接続先の電話番号として「１４１」をダイヤルすると、ダイヤル操作の受付が可能であることを知らせる受付音（当該サービスでは「プププ・・・」）が送出されたのち、加入者は、定型メッセージを選択する場合には「２」に続いてメッセージ番号を、自動応答を開始する場合には「１」を、自動応答を停止する場合には「０」をダイヤルする。
【０００５】
既存電話網の加入者からのダイヤル信号の伝送方法には、ＤＰ（Dial Pulse：ダイヤルパルス）信号とＰＢ（Push Button：プッシュボタン）信号との２種類があり、加入者毎にいずれの信号を用いるのかが契約によって規定される。全てのカスコンサービスではないが、前記の「でんわばん」サービスのように、ダイヤル方法の契約に合わせて、ＤＰ契約加入者向けとＰＢ契約加入者向けとの２種類のカスコンサービスが提供される場合もある。
【０００６】
図８は、既存電話網におけるカスコンサービスの動作概要を示した説明図である。交換機９が備え、カスコンサービス制御を司るサービス制御部９１は、加入者の電話端末４の受話器が上がると、ＰＢ／ＤＰ契約情報データベース９２を参照して当該加入者が契約しているダイヤル方法がＰＢ信号かＤＰ信号かを識別し、ＰＢ契約加入者にはＰＢ信号レシーバを、ＤＰ契約加入者にはＤＰ信号レシーバを割り当てる。
【０００７】
その後、カスコンサービスのダイヤル番号が加入者の電話端末４から送出され、交換機９にてこれを受信すると、サービス制御部９１は、ガイダンス送出部９４に、ダイヤル操作の受付が可能であることを知らせる受付音あるいは音声ガイダンスの送出を指示する。その後、加入者のダイヤル操作によって加入者の電話端末４からダイヤル操作番号に対応するダイヤル信号が送出されると、ＰＢ信号レシーバまたはＤＰ信号レシーバ９３がこのダイヤル信号からダイヤル操作番号を特定し、特定したダイヤル操作番号をサービス制御部９１に伝達する。サービス制御部９１は、受け取ったダイヤル操作番号にしたがってサービス設定内容の変更を行う。以下、カスコンサービスの設定内容を変更するための加入者のダイヤル操作およびその番号をそれぞれ「カスコン操作」、「カスコン操作番号」と呼ぶ。
【０００８】
このように、既存電話網では、サービス制御部９１とＰＢ信号レシーバまたはＤＰ信号レシーバ９３とは、同一の交換機９内に搭載されている（非特許文献１参照）。そのため、電圧のオン・オフによって信号が伝送され、メタル線５上でしか伝送できないＤＰ信号の場合であっても、ＤＰ信号レシーバが特定したカスコン操作番号は、交換機９の内部でサービス制御部９１に伝達することができる。なお、ガイダンス送出部９４については交換機９の内／外のいずれに配備されていてもよい。
【０００９】
次に、ＩＰ網にて、前記のような既存電話網と同様のカスコンサービスを提供しようとする場合の動作について説明する。既存電話サービスをＩＰ網にて実現するモデルとして、ＩＭＳ（IP Multimedia Subsystems）に基づく既存電話サービスを提供するためのアーキテクチャがあげられる（非特許文献２参照）。本モデルにしたがえば、図９に示すように、前記と同様なサービス制御部１１は加入者サーバ１に配備され、前記と同様なガイダンス送出部３１はメディアサーバ３に配備されることになる。また、加入者の電話端末４は、メタル線５を介して送受信されるアナログ音声信号とＩＰ網で送受信される音声パケットとの間の相互変換を行うゲートウェイ装置であるＡＧＷ（Access Gateway）２に収容されることとなる。図９に示すように、加入者サーバ１、ＡＧＷ２およびメディアサーバ３は、それぞれ別装置として構成されるのが一般的であり、それらの装置間はＳＩＰ（Session Initiation Protocol）などのＩＰ網向けの呼制御プロトコルによって相互接続される。
【００１０】
なお、ＩＭＳに基づくアーキテクチャでは、カスコン操作番号の信号レシーバの配備についての規定は無いが、以下の理由から、ＰＢ信号レシーバはメディアサーバ３に、ＤＰ信号レシーバはＡＧＷ２に配備するものとする。
【００１１】
図９に示すように、カスコン操作番号がＰＢ信号によって伝送される場合は、通常の音声信号と同様に、例えばＩＴＵ−Ｔ（International Telecommunication Union Telecommunication Standardization Sector）勧告Ｇ．７１１に準拠するコーデック２２でデジタル化したＰＢ信号の音声パケットを、ＲＴＰ（Realtime Transport Protocol）等のＶｏＩＰ（Voice over Internet Protocol）用の標準プロトコルを用いて、メディアサーバ３まで伝送することができる。したがって、ＰＢ信号レシーバ３２をメディアサーバ３に集約配備することができる。
【００１２】
一方、カスコン操作番号がＤＰ信号によって伝送される場合は、ＤＰ信号の伝送が可能な区間はメタル線５上に限られるので、ＰＢ信号のようにコーデック２２でデジタル化してＩＰ網内を伝送することはできない。そのため、ＤＰ信号レシーバは、メタル線５を終端するＡＧＷ２に配備せざるを得ない。
【００１３】
なお、特許文献１には、ＤＰ信号およびＰＢ信号を用いたＩＰ網向けのカスコンサービスが提案されているが、ＤＰ信号レシーバとＰＢ信号レシーバとの双方がメディアゲートウェイに配備される構成となっている。
【先行技術文献】
【特許文献】
【００１４】
【特許文献１】特開２０１０−２６３３０９号公報
【非特許文献】
【００１５】
【非特許文献１】千葉正人監修、「改訂ディジタル交換方式」、社団法人電子情報通信学会、平成３年６月
【非特許文献２】ETSI, TISPAN; PES; Functional Architecture, TS 182 012 V.2.1.4 (2008-03)
【発明の概要】
【発明が解決しようとする課題】
【００１６】
前記のように、カスコン操作番号がＰＢ信号によって伝送される場合は、受信したＰＢ信号をＡＧＷ２にて音声パケット化してメディアサーバ３に届けることができるので、ＰＢ信号レシーバ３２をメディアサーバ３に集約配備することができる。他方、ＤＰ信号レシーバはＡＧＷ２に配備せざるを得ないが、ＤＰ信号によって伝送されるカスコン操作番号を、ＡＧＷ２からメディアサーバ３や加入者サーバ１に伝える標準的な仕組みが従来技術にはなかった。
【００１７】
本発明は、前記の課題を解決するためになされたものであり、ＩＰ網において、既存電話網で提供されているものと同様なカスタマコントロールサービスを、ＰＢ契約加入者に加えてＤＰ契約加入者にも提供するための標準的な仕組みを確立することを目的とする。
【課題を解決するための手段】
【００１８】
前記の目的を達成するために、本発明は、ＩＰ網に接続される加入者サーバ、および、音声パケット化されたＰＢ信号を受信してカスコン操作番号を特定するＰＢ信号レシーバを備えるメディアサーバと連携して、メタル線によって接続されるＰＢ契約加入者およびＤＰ契約加入者の電話端末にＩＰ電話サービスを提供するゲートウェイ装置（ＡＧＷ）であって、前記ＤＰ契約加入者の電話端末から送出されるＤＰ信号からカスコン操作番号を特定するＤＰ信号レシーバを備え、前記加入者サーバが、加入者のカスコン操作によって電話に関する各種サービスの設定内容を変更可能なカスタマコントロールサービスを提供する場合に、前記加入者サーバの指示を受けて、前記メディアサーバから送出されるカスコン操作の受付が可能であることを伝える受付音または音声ガイダンスを前記電話端末に中継送信し、前記ＤＰ契約加入者の電話端末から送出され前記ＤＰ信号レシーバにて受信したＤＰ信号から特定されるカスコン操作番号をＰＢ信号に変換したのちに、また、前記ＰＢ契約加入者の電話端末から送出されるＰＢ信号はそのままの形で、いずれの場合もＶｏＩＰ用プロトコルにより音声パケット化して、前記音声パケット化されたＰＢ信号を前記メディアサーバに送信することを特徴とする。
【００１９】
こうすることにより、加入者がＤＰ契約加入者であってもＰＢ契約加入者であっても、メディアサーバには音声パケット化されたＰＢ信号によってカスコン操作番号が伝送されることになり、以降のカスタマコントロールサービス処理の統一化を図ることができる。
【００２０】
また、前記ゲートウェイ装置における前記ＤＰ信号レシーバの第１の配備方法では、前記ゲートウェイ装置は、自身が収容する各加入者がＰＢ契約加入者かＤＰ契約加入者かが登録されているＰＢ／ＤＰ契約情報データベースを備え、自身が収容する全てのＤＰ契約加入者に対して、前記ＤＰ信号レシーバを個別に配備するものとした。
【００２１】
こうすることにより、加入者サーバがカスタマコントロールサービスを実行するときに、ＰＢ／ＤＰ契約情報データベースを参照したり、ＤＰ信号レシーバを動的に割り当てたりする必要がなくなるので、ゲートウェイ装置および加入者サーバの処理の簡易化を図ることができる。
【００２２】
また、前記ゲートウェイ装置における前記ＤＰ信号レシーバの第２の配備方法では、前記ゲートウェイ装置は、各加入者がＰＢ契約加入者かＤＰ契約加入者かが登録されているＰＢ／ＤＰ契約情報データベースを備えるとともに、複数の前記ＤＰ信号レシーバを共有配備し、前記加入者サーバからレシーバリソースの捕捉指示を受け取ったときに、前記データベースを参照して前記カスタマコントロールサービスの対象となる当該加入者がＤＰ契約加入者であるか否かを判定し、当該加入者がＤＰ契約加入者である場合に前記複数の前記ＤＰ信号レシーバのなかの１つを当該加入者に割り当てるものとした。
【００２３】
こうすることにより、ゲートウェイ装置に配備するＤＰ信号レシーバの集約が可能となり、ゲートウェイ装置の装置コストを低減することができる。
【発明の効果】
【００２４】
本発明によれば、ＩＰ網において、既存電話網で提供されているものと同様なカスタマコントロールサービスを、ＰＢ契約加入者に加えてＤＰ契約加入者にも提供するための標準的な仕組みを確立することができる。
【図面の簡単な説明】
【００２５】
【図１】第１の方式におけるカスコンサービス動作の説明図である。
【図２】第２の方式におけるカスコンサービス動作の説明図である。
【図３】第１の方式（Ａ）：ＤＰ契約加入者の場合のシーケンスチャートである。
【図４】第１の方式（Ｂ）：ＰＢ契約加入者の場合のシーケンスチャートである。
【図５】第２の方式（Ａ）：ＤＰ契約加入者の場合のシーケンスチャートである。
【図６】第２の方式（Ｂ）：ＰＢ契約加入者の場合のシーケンスチャートである。
【図７】カスコンサービス以外の場合のシーケンスチャートである。
【図８】既存電話網におけるカスコンサービス動作の説明図である。
【図９】従来のＩＰ網におけるカスコンサービス動作の説明図である。
【発明を実施するための形態】
【００２６】
以下、本発明を実施するための形態につき適宜図面を参照して詳細に説明する。前記のように、ＡＧＷ２におけるＤＰ信号レシーバの配備方法として、全てのＤＰ契約加入者にＤＰ信号レシーバを個別に配備する第１の方式と、共有配備した複数のＤＰ信号レシーバを要求に応じて各加入者に割り当てる第２の方式とがある。
【００２７】
［第１の方式］
図１は、第１の方式におけるカスコンサービス動作の説明図である。図１に示すように、本カスコンサービスシステムは、ＩＰ網に接続される加入者サーバ１と、ＡＧＷ（Access Gateway）２と、メディアサーバ３とを備えて構成される。加入者サーバ１は、カスコンサービス制御を司るサービス制御部１１を備える。ＡＧＷ２は、ＰＢ／ＤＰ契約情報データベース２１、コーデック２２、ＤＰ信号レシーバ２３、およびＰＢ信号センダ２４を備える。メディアサーバ３は、カスコンサービスの受付音または音声ガイダンスを送出するガイダンス送出部３１と、ＰＢ信号レシーバ３２とを備える。
【００２８】
ＰＢ／ＤＰ契約情報データベース２１には、ＡＧＷ２が収容している全ての加入者について当該加入者がＰＢ契約加入者かＤＰ契約加入者かを示す情報が登録される。また、ＡＧＷ２が収容している全ての加入者に対して、アナログ音声信号とデジタルの音声パケットとの間の相互変換を行うコーデック２２が配備され（ＰＢ契約加入者については図示を省略。）、さらに、ＤＰ契約加入者に対しては、ＤＰ信号レシーバ２３とＰＢ信号センダ２４とが個別に配備される。
【００２９】
ＤＰ契約加入者の電話端末４からカスコンサービスへの接続が行われると、ＤＰ信号レシーバ２３は、ＤＰ契約加入者の電話端末４からのＤＰ信号の送出を監視し、ＤＰ信号が送出された場合は検出したカスコン操作番号をＰＢ信号センダ２４に引き渡す。ＰＢ信号センダ２４は、引き渡されたカスコン操作番号をＰＢ信号に変換してコーデック２２に引き渡す。コーデック２２は、引き渡されたＰＢ信号を電話端末４から送出されるアナログ音声信号に重畳してＶｏＩＰ用のプロトコルによって音声パケット化し、メディアサーバ３に送信する。メディアサーバ３に配備されたＰＢ信号レシーバ３２は、この音声パケット化されたＰＢ信号からカスコン操作番号を特定し、メディアサーバ３はこの特定したカスコン操作番号を加入者サーバ１に通知する。
【００３０】
一方、ＰＢ契約加入者の電話端末４からカスコンサービスへの接続が行われた場合には、ＰＢ契約加入者の電話端末４から送出されるＰＢ信号はそのままコーデック２２により音声パケット化されてメディアサーバ３に送信され、メディアサーバ３に配備されたＰＢ信号レシーバ３２が、この音声パケット化されたＰＢ信号からカスコン操作番号を特定して加入者サーバ１に通知する。
【００３１】
このように、加入者がＤＰ契約者の場合であってもＰＢ契約者の場合であっても、メディアサーバ３は音声パケット化されたＰＢ信号によってカスコン操作番号を受信することになるため、以降のカスコンサービス処理の統一化を図ることができる。
【００３２】
この第１の方式では、予め全てのＤＰ契約加入者に対してＤＰ信号レシーバ２３とＰＢ信号センダ２４とが個別に配備されるので、カスコンサービスの実行時に個別にＰＢ／ＤＰ契約情報データベース２１を参照したり、ＤＰ信号レシーバ２３を動的に割り当てたりする必要がない。したがって、加入者サーバ１やＡＧＷ２の処理の簡素化を図ることができる。
【００３３】
［第２の方式］
図２は、第２の方式におけるカスコンサービス動作の説明図である。図２に示すように、本カスコンサービスシステムの装置構成は、前記した第１の方式（図１）とほぼ同様である。第１の方式との装置構成上の違いは、ＤＰ信号レシーバ２３とＰＢ信号センダ２４とが、全てのＤＰ契約加入者に対して共有配備されていることにある。
【００３４】
ＤＰ契約加入者の電話端末４からカスコンサービスへの接続が行われると、サービス制御部１１からＡＧＷ２に対してレシーバリソースの捕捉指示が送信される。ＡＧＷ２は、ＰＢ／ＤＰ契約情報データベース２１を参照して当該加入者がＤＰ契約加入者であると判定した場合には、当該加入者に対してＤＰ信号レシーバ２３とＰＢ信号センダ２４との組を割り当てる。以後、ＤＰ信号レシーバ２３は、当該加入者の電話端末４からのＤＰ信号の送出を監視し、ＤＰ信号が送出された場合は検出したカスコン操作番号をＰＢ信号センダ２４に引き渡す。ＰＢ信号センダ２４は、引き渡されたカスコン操作番号をＰＢ信号に変換してコーデック２２に引き渡す。コーデック２２は、引き渡されたＰＢ信号を電話端末４から送出されるアナログ音声信号に重畳してＶｏＩＰ用のプロトコルによって音声パケット化し、メディアサーバ３に送信する。メディアサーバ３に配備されたＰＢ信号レシーバ３２は、この音声パケット化されたＰＢ信号からカスコン操作番号を特定し、メディアサーバ３はこの特定したカスコン操作番号を加入者サーバ１に通知する。
【００３５】
一方、ＰＢ契約加入者の電話端末４からカスコンサービスへの接続が行われた場合には、ＰＢ契約加入者の電話端末４から送出されるＰＢ信号はそのままコーデック２２により音声パケット化されてメディアサーバ３に送信され、メディアサーバ３に配備されたＰＢ信号レシーバ３２が、この音声パケット化されたＰＢ信号からカスコン操作番号を特定して加入者サーバ１に通知する。
【００３６】
このように、加入者がＤＰ契約者の場合であってもＰＢ契約者の場合であっても、メディアサーバ３は音声パケット化されたＰＢ信号によってカスコン操作番号を受信することになるため、以降のカスコンサービス処理の統一化を図ることができる。
【００３７】
この第２の方式では、全てのＤＰ契約加入者の数だけＤＰ信号レシーバ２３とＰＢ信号センダ２４との組を配備するのではなく、ＤＰ契約加入者の中で想定されるカスコンサービスの最大同時利用者数に相当する数に集約してリソースを共有配備すればよいので、ＡＧＷ２の装置コストを低減することができる。
【００３８】
以下、前記にて説明した第１の方式および第２の方式のそれぞれについて、
（Ａ）：ＤＰ契約加入者に対するカスコンサービスの場合
（Ｂ）：ＰＢ契約加入者に対するカスコンサービスの場合
の２つのケースにおける動作内容を、図３から図６のシーケンスチャートを用いて詳しく説明する。なお、これらのシーケンスチャートでは、加入者サーバ１、ＡＧＷ２、メディアサーバ３間の呼制御プロトコルとしてＳＩＰ（Session Initiation Protocol）を利用する例について説明するが、他の呼制御プロトコルを利用してもよい。
【００３９】
［第１の方式］（Ａ）：ＤＰ契約加入者に対するカスコンサービスの場合
図３は、第１の方式においてＤＰ契約加入者に対してカスコンサービスを提供する場合のシーケンスチャートである。
【００４０】
ＤＰ契約加入者の電話端末４からあるカスコンサービスのダイヤル番号（例えば、「１４１」）が送出されると（ステップＳ１）、ＡＧＷ２は、当該ダイヤル番号を含むINVITE信号を加入者サーバ１に送信し、呼接続要求を行う（ステップＳ２）。加入者サーバ１は、受け取ったダイヤル番号がカスコンサービスの番号である場合は（ステップＳ３で「Ｙｅｓ」）、メディアサーバ３に対し、当該ダイヤル番号を含むINVITE信号を送信し（ステップＳ４）、その応答として200(OK)を受信すると（ステップＳ５）、ＡＧＷ２に対して、呼出中を示す18x を送信する（ステップＳ６１）。
【００４１】
ＡＧＷ２は、18xを受信すると、メディアサーバ３との間の通話路を確立し、加入者の電話端末４とメディアサーバ３との間のアナログ音声信号と音声パケットとの相互変換および中継転送を開始するとともに、カスコン操作番号の受信を待つ状態となる。その後、メディアサーバ３から加入者の電話端末４向けに音声ガイダンス（あるいは受付音）の音声パケットが送出されると、ＡＧＷ２は、受信した音声パケットをアナログ音声信号に変換してメタル線５を介して電話端末４に送出する（ステップＳ７）。
【００４２】
続いて、加入者の電話端末４から、ＤＰ信号によってカスコン操作番号が送出されると（ステップＳ８１）、ＡＧＷ２は、ＤＰ信号レシーバ２３が受信したカスコン操作番号を、ＰＢ信号センダ２４にて該当するＰＢ信号に変換し（ステップＳ８２）、コーデック２２にて電話端末４から送出されるアナログ音声信号に当該ＰＢ信号を重畳して音声パケット化し、メディアサーバ３に送信する（ステップＳ９）。なお、ここでは、コーデック２２によって電話端末４から送出されるアナログ音声信号に当該ＰＢ信号を重畳するものとしたが、ＰＢ信号センダ２４にコーデック機能を具備し、音声パケット化したカスコン操作番号のＰＢ信号を直接メディアサーバ３に送信するものとしてもよい。
【００４３】
メディアサーバ３が備えるＰＢ信号レシーバ３２は、ＡＧＷ２から送信された音声パケットを受信し、その中に含まれているＰＢ信号を抽出してカスコン操作番号を特定し、メディアサーバ３はこの特定したカスコン操作番号をINFO信号等のＳＩＰメソッドに含めて加入者サーバ１に送信する（ステップＳ１０）。加入者サーバ１は、受信したカスコン操作番号にしたがってサービスの設定変更等を行う。
【００４４】
［第１の方式］（Ｂ）：ＰＢ契約加入者に対するカスコンサービスの場合
図４は、第１の方式においてＰＢ契約加入者に対してカスコンサービスを提供する場合のシーケンスチャートである。
【００４５】
ＰＢ契約加入者の電話端末４からあるカスコンサービスのダイヤル番号（例えば、「１４１」）が送出されてから、メディアサーバ３からの音声ガイダンス（あるいは受付音）が電話端末４に送出されるまでの一連の処理の流れ（ステップＳ１〜ステップＳ７）は、前記の第１の方式（Ａ）（図３）と同様である。
【００４６】
続いて、加入者の電話端末４から、ＰＢ信号によってカスコン操作番号が送出されると（ステップＳ８３）、ＡＧＷ２は、電話端末４から送出されたＰＢ信号を通常の音声と同様にコーデック２２にて音声パケット化し、メディアサーバ３に送信する（ステップＳ９）。
【００４７】
それ以降のメディアサーバ３および加入者サーバ１の動作は、前記の第１の方式（Ａ）（図３）と同様である。
【００４８】
［第２の方式］（Ａ）：ＤＰ契約加入者に対するカスコンサービスの場合
図５は、第２の方式においてＤＰ契約加入者に対してカスコンサービスを提供する場合のシーケンスチャートである。
【００４９】
ＤＰ契約加入者の電話端末４からあるカスコンサービスのダイヤル番号（例えば、「１４１」）が送出されると（ステップＳ１）、ＡＧＷ２は、当該ダイヤル番号を含むINVITE信号を加入者サーバ１に送信し、呼接続要求を行う（ステップＳ２）。加入者サーバ１は、受け取ったダイヤル番号がカスコンサービスの番号である場合は（ステップＳ３で「Ｙｅｓ」）、メディアサーバ３に対し、当該ダイヤル番号を含むINVITE信号を送信し（ステップＳ４）、その応答として200(OK)を受信すると（ステップＳ５）、ＡＧＷ２に対して、カスコンサービスのためのレシーバリソースの捕捉を指示する18x(レシーバリソース捕捉指示)を送信する（ステップＳ６２）。
【００５０】
ＡＧＷ２は、レシーバリソース捕捉指示を受け取ると、メディアサーバ３との間の通話路を確立し、加入者の電話端末４とメディアサーバ３との間のアナログ音声信号と音声パケットとの相互変換および中継転送を開始するとともに、ＰＢ／ＤＰ契約情報データベース（ＤＢ）２１を参照して、当該加入者がＤＰ契約加入者であることが確認できた場合は、共有配備しているＤＰ信号レシーバ２３およびＰＢ信号センダ２４をそれぞれ１つずつ当該加入者に対して割り当て、カスコン操作番号の受信を待つ状態となる（ステップＳ６３）。その後、メディアサーバ３から加入者の電話端末４向けに音声ガイダンス（あるいは受付音）の音声パケットが送出されると、ＡＧＷ２は、受信した音声パケットをアナログ音声信号に変換して電話端末４に送出する（ステップＳ７）。
【００５１】
続いて、加入者の電話端末４から、ＤＰ信号によってカスコン操作番号が送出されると（ステップＳ８１）、ＡＧＷ２は、ＤＰ信号レシーバ２３が受信したカスコン操作番号を、ＰＢ信号センダ２４にて該当するＰＢ信号に変換し（ステップＳ８２）、コーデック２２にて電話端末４から送出されるアナログ音声信号に当該ＰＢ信号を重畳して音声パケット化し、メディアサーバ３に送信する（ステップＳ９）。なお、ここでは、コーデック２２によって電話端末４から送出されるアナログ音声信号に当該ＰＢ信号を重畳するものとしたが、ＰＢ信号センダ２４にコーデック機能を具備し、音声パケット化したカスコン操作番号のＰＢ信号を直接メディアサーバ３に送信するものとしてもよい。
【００５２】
メディアサーバ３が備えるＰＢ信号レシーバ３２は、ＡＧＷ２から送信された音声パケットを受信し、その中に含まれているＰＢ信号を抽出してカスコン操作番号を特定し、メディアサーバ３はこの特定したカスコン操作番号をINFO信号等のＳＩＰメソッドに含めて加入者サーバ１に送信する（ステップＳ１０）。加入者サーバ１は、受信したカスコン操作番号にしたがってサービスの設定変更等を行う。
【００５３】
［第２の方式］（Ｂ）：ＰＢ契約加入者に対するカスコンサービスの場合
図６は、第２の方式においてＰＢ契約加入者に対してカスコンサービスを提供する場合のシーケンスチャートである。
【００５４】
ＰＢ契約加入者の電話端末４からあるカスコンサービスのダイヤル番号（例えば、「１４１」）が送出されてから、加入者サーバ１がＡＧＷ２に対してレシーバリソースの捕捉を指示する18x(レシーバリソース捕捉指示)を送信するまでの一連の処理（ステップＳ１〜ステップＳ６２）は、前記の第２の方式（Ａ）（図５）と同様である。
【００５５】
ＡＧＷ２は、レシーバリソース捕捉指示を受け取ると、メディアサーバ３との間の通話路を確立し、加入者の電話端末４とメディアサーバ３との間のアナログ音声信号と音声パケットとの相互変換および中継転送を開始するとともに、ＰＢ／ＤＰ契約情報ＤＢ２１を参照して、当該加入者がＰＢ契約加入者であることが確認できた場合は、受け取ったレシーバリソース捕捉指示を破棄する（ステップＳ６４）。
【００５６】
それ以降のＡＧＷ２、メディアサーバ３および加入者サーバ１の動作は、前記の第１の方式（Ｂ）（図４）と同様である。
【００５７】
［共通］（Ｃ）：カスコンサービス以外（ただし、音声ガイダンス提供あり）の場合
図７は、第１の方式と第２の方式との両者に共通する、カスコンサービス以外（ただし、音声ガイダンス提供あり）のサービスを提供する場合のシーケンスチャートである。この場合は、当該加入者がＤＰ契約加入者であるかＰＢ契約加入者であるかに関わらずカスコン操作番号の受信は行われないので、いずれの加入者であっても処理は共通となる。
【００５８】
加入者の電話端末４からあるカスコンサービス以外のダイヤル番号が送出されると（ステップＳ１）、ＡＧＷ２は、当該ダイヤル番号を含むINVITE信号を加入者サーバ１に送信し、呼接続要求を行う（ステップＳ２）。加入者サーバ１は、受け取ったダイヤル番号がカスコンサービスの番号ではないが音声ガイダンス提供が必要なサービスの番号である場合は（ステップＳ３で「Ｎｏ」）、メディアサーバ３に対し、当該ダイヤル番号を含むINVITE信号を送信し（ステップＳ４）、その応答として200(OK)を受信すると（ステップＳ５）、ＡＧＷ２に対して、呼出中を示す18xを送信する（ステップＳ６５）。
【００５９】
ＡＧＷ２は、18xを受信すると、メディアサーバ３との間の通話路を確立し、加入者の電話端末４とメディアサーバ３との間のアナログ音声信号と音声パケットとの相互変換および中継転送を開始する。その後、メディアサーバ３から加入者の電話端末４向けに音声ガイダンスの音声パケットが送出されると、ＡＧＷ２は、受信した音声パケットをアナログ音声信号に変換してメタル線５を介して電話端末４に送出する（ステップＳ７）。
【００６０】
以上説明したように、前記した第１の方式および第２の方式のいずれにおいても、メディアサーバ３は、加入者がＤＰ契約加入者の場合であってもＰＢ契約加入者の場合と同様に音声パケット化されたＰＢ信号によってカスコン操作番号を受信するという標準的な仕組みが実現される。これにより、加入者がＰＢ契約加入者である場合とＤＰ契約加入者である場合との処理の統一化を図ったカスコンサービスを提供することができる。
【００６１】
以上にて本発明を実施するための形態の説明を終えるが、本発明の実施の態様はこれに限られるものではなく、本発明の趣旨を逸脱しない範囲内で各種の変更が可能である。
【符号の説明】
【００６２】
１    加入者サーバ
１１  サービス制御部
２    ＡＧＷ（Access Gateway）（ゲートウェイ装置）
２１  ＰＢ／ＤＰ契約情報データベース
２２  コーデック
２３  ＤＰ信号レシーバ
２４  ＰＢ信号センダ
３    メディアサーバ
３１  ガイダンス送出部
３２  ＰＢ信号レシーバ
４    加入者の電話端末（電話端末）
５    メタル線
９    交換機
９１  サービス制御部
９２  ＰＢ／ＤＰ契約情報データベース
９３  ＰＢ信号レシーバまたはＤＰ信号レシーバ
９４  ガイダンス送出部
【図１】
2012249033.tif 000003
【図２】
2012249033.tif 000004
【図３】
2012249033.tif 000005
【図４】
2012249033.tif 000006
【図５】
2012249033.tif 000007
【図６】
2012249033.tif 000008
【図７】
2012249033.tif 000009
【図８】
2012249033.tif 000010
【図９】
2012249033.tif 000011